(57)【要約】  【目的】  本発明は、出入口の開放時に内扉が外扉に収納された状態で引き戸収納部内に収納される引き戸装置に関するものであり、静粛性、耐久性に優れ、品質的、強度的な問題もなく、後扉用スライドレールと前扉用スライドレールの平行度が施工現場でおこなえる、特に施工性に優れた引き戸装置を提供することを目的とする。    【構成】  内扉が外扉に収納された状態で引き戸収納部内に収納される引き戸装置において、戸尻側縦枠と戸先側縦枠間に配設された外扉支持枠に外扉が左右方向に移動可能に取付けられるとともに、内扉が左右方向に移動可能に取付けられる内扉支持枠が、外扉支持枠の所定寸法下方で、外扉内の上部を貫挿して戸尻側縦枠と戸先側縦枠間に高さ調節可能に配設されているものである。【選択図】    図６
2005213838.tif 000002
【特許請求の範囲】
【請求項１】
内扉が外扉に収納された状態で引き戸収納部内に収納される引き戸装置において、戸尻側縦枠と戸先側縦枠間に配設された外扉支持枠に外扉が左右方向に移動可能に取付けられるとともに、内扉が左右方向に移動可能に取付けられる内扉支持枠が、外扉支持枠の所定寸法下方で、外扉内の上部を貫挿して戸尻側縦枠と戸先側縦枠間に高さ調節可能に配設されていることを特徴とする引き戸装置。
【請求項２】
外扉支持枠と、内扉支持枠と、内扉と外扉の上部は着脱自在の点検パネルと引き戸収納部で隠蔽されていることを特徴とする請求項１に記載の引き戸装置。
【請求項３】
内扉が外扉に収納された状態で引き戸収納部内に収納される引き戸装置において、戸尻側縦と枠戸先側縦枠間に配設された外扉支持枠に外扉が外扉用スライドレールを介して左右方向に移動可能に取付けられるとともに、外扉支持枠の所定寸法下方で、外扉内の上部を貫挿して戸尻側縦枠と戸先側縦枠間に高さ調節可能に配設された内扉支持枠に、内扉が内扉用スライドレールを介して左右方向に移動可能に取付けられていることを特徴とする引き戸装置。
【請求項４】
外扉支持枠と、内扉支持枠と、内扉と外扉の上部は着脱自在の点検パネルと引き戸収納部で隠蔽されていることを特徴とする請求項３に記載の引き戸装置。
【発明の詳細な説明】
【技術分野】
【０００１】
本発明は、出入口の開放時に内扉が外扉に収納された状態で引き戸収納部内に収納される引き戸装置に関するものである。
【背景技術】
【０００２】
この種の引き戸装置としては、後扉（本発明では外扉）の前後の吊り車を引き戸上枠に取付けられたレール（以下後扉用レールと云う。）に懸架せしめると共に、該後扉の内部には前扉支持用レールを備え、前扉（本発明では内扉）の前後の対をなす吊り車の後部吊り車を前記前扉支持用レールに懸架し、前扉の前部の吊り車を引き戸上枠に設けられた前記後扉用レール上に懸架せしめ、前扉と後扉は連動杆によって、所定の速度比で移動するものがある。（例えば、特許文献１参照。）
この場合、水平状態に施工された後扉用レールに後扉を懸架した時、後扉の加工精度、後扉に対する前扉支持用レールの取付精度は完全ではないので、後扉に取付けられた前扉支持用レールは水平状態（後扉用レールと平行状態）にはならない。
特に、レールを戸先側に前下がりに取付けて引き戸装置に自閉機能を持たせるような構成にする事は、後扉用レールと前扉支持用レールが互いに傾斜状態での平行が要求されるので、事実上困難であった。
従って、前扉と後扉を全閉状態としたとき前扉の戸先側端部が鉛直姿勢で維持されず戸先側の引き戸枠部材との間に隙間が発生したり、あるいは、全開状態とした時には後扉の戸先側端部と前扉の戸先側端部が平行に納まらず、見栄えが悪いという問題があった。
【０００３】
一方、後扉の上部を上枠に取付けられたスライドレールに摺動自在に取付け、後扉の内部に設けたスライドレールに前扉の上部を摺動自在に支持したものが提供されている。（例えば、特許文献２参照）
この場合、戸車の走行によって生じる不快な走行音、あるいは戸車の劣化による耐久性の問題は解決されるが、前扉を摺動自在に支持するスライドレールが後扉に取付られているので、前扉と後扉の全閉時、後扉に取付られたスライドレールの一部が前扉と共に後扉の戸先側に突出することとなる。
このため、後扉の戸先側に突出したスライドレールの一部と後扉で前扉の荷重を支えることとなり、前扉の垂れ下がりや、前扉が前後方向に揺れる横ぶれが生じやすく不安定となる。
すなわち、静粛性、耐久性は向上するものの、新たに品質的、強度的な問題があった。
又、後扉を支持するスライドレールに対する前扉の荷重の負荷位置が、前扉の開閉位置によって変化するので、前扉と後扉の摺動力が均一とならない問題もあった。
【０００４】
この問題を解決するため、後扉の上部を上枠に取付けられたスライドレール（後扉用スライドレール）に摺動自在に取付け、後扉の内部に設けられたスライドレール（前扉用スライドレール）に前扉の後方上部を摺動自在に支持し、前扉の前方上部を後扉用スライドレールに摺動自在に取付けたものが提供されている。（例えば、特許文献３参照）
しかしながら、水平状態に施工された後扉用スライドレールに後扉を取付けた時、後扉の加工精度、後扉に対する前扉用スライドレールの取付精度を完全には出来ないので、後扉に取付けられた前扉用スライドレールは、水平状態（後扉用スライドレールと平行状態）にはならない。
特に、スライドレールを戸先側に前下がりに取付けて引き戸装置に自閉機能を持たせるような構成にする事は、後扉用レールと前扉支持用レールが互いに傾斜状態での平行が要求されるので事実上困難であった。
一方、スライドレールは摺動性能の向上を図るため、特に上下方向での寸法精度が高く（上下方向のがたつきがない。）なるよう構成されているので、後扉用スライドレールと前扉用スライドレールの平行度が完全でないと前扉と後扉が互いに干渉しあって開閉移動が行えないという致命的な問題があった。
【０００５】
【特許文献１】特許第３４４７５９６号公報
【特許文献２】特許第３４６１７７０号公報（第１−６図）
【特許文献３】特許第３４６１７７０号公報（第７−９図）
【発明の開示】
【発明が解決しようとする課題】
【０００６】
本発明は、静粛性、耐久性に優れ、品質的、強度的な問題もなく、後扉用スライドレールと前扉用スライドレールの平行度の調整が施工現場でおこなえる、特に施工性に優れた引き戸装置を提供することを課題とする。
【課題を解決するための手段】
【０００７】
そこで、上記課題を解決する為、本発明が第１の手段として構成したところは、内扉が外扉に収納された状態で引き戸収納部内に収納される引き戸装置において、戸尻側縦枠と戸先側縦枠間に配設された外扉支持枠に外扉が左右方向に移動可能に取付けられるとともに、内扉が左右方向に移動可能に取付けられる内扉支持枠が、外扉支持枠の所定寸法下方で、外扉内の上部を貫挿して戸尻側縦枠と戸先側縦枠間に高さ調節可能に配設されているものである。
【０００８】
次に、本発明が第２の手段として構成したところは、第１の手段としての構成に付加して、外扉支持枠と、内扉支持枠と、内扉と外扉の上部は着脱自在の点検パネルと引き戸収納部で隠蔽されているものである。
【０００９】
次に、本発明が第３手段として構成したところは、内扉が外扉に収納された状態で引き戸収納部内に収納される引き戸装置において、戸尻側縦枠と戸先側縦枠間に配設された外扉支持枠に外扉が外扉用スライドレールを介して左右方向に移動可能に取付けられるとともに、外扉支持枠の所定寸法下方で、外扉内の上部を貫挿して戸尻側縦枠と戸先側縦枠間に高さ調節可能に配設された内扉支持枠に、内扉が内扉用スライドレールを介して左右方向に移動可能に取付けられているものである。
【００１０】
次に、本発明が第４の手段として構成したところは、第３の手段としての構成に付加して、外扉支持枠と、内扉支持枠と、内扉と外扉の上部は着脱自在の点検パネルと引き戸収納部で隠蔽されているものである。
【発明の効果】
【００１１】
請求項１に記載の発明によると、内扉が左右方向に移動可能に取付けられる内扉支持枠が、外扉支持枠の所定寸法下方で、高さ調節可能に配設されているので、外扉支持枠にあわせて内扉支持枠の平行状態を容易に調節する事が可能であり、内扉と外扉の全閉全開状態の美観の向上を図ることが出来る。
内扉支持枠が、外扉内の上部を貫挿して戸尻側縦枠と戸先側縦枠間に取付られているので、内扉支持枠が外扉の移動の妨げにならず、又、開放時に内扉を外扉内に収納することが出来る。
請求項２に記載の発明によると、請求項１に記載の発明の効果に加え、点検パネルを着脱自在に設けているので、施工、点検が容易である。
請求項３に記載の発明によると、内扉支持枠は外扉支持枠の所定寸法下方で、高さ調節可能に配設されているので、外扉支持枠にあわせて内扉支持枠の平行状態を容易に調節する事が可能であり、内扉と外扉の全閉全開状態の美観の向上を図ることが出来きる、又、内扉支持枠が、外扉内の上部を貫挿して戸尻側縦枠と戸先側縦枠間に取付られているので、内扉支持枠が外扉の移動の妨げにならず、又、開放時に内扉を外扉内に収納することが出来る。内扉と外扉は内扉スライドレールと外扉スライドレールを介して外扉支持枠と内扉支持枠に左右方向に移動可能に取付けられているので、静粛性、耐久性に優れ、品質的、強度的な問題もなく、特に施工性に優れている。
請求項４に記載の発明によると、請求項３に記載の発明の効果に加え、点検パネルを着脱自在に設けているので、施工、点検が容易である。
【発明を実施するための最良の形態】
【００１２】
本発明は、内扉が外扉に収納された状態で引き戸収納部内に収納される引き戸装置において、戸尻側縦枠と戸先側縦枠間に配設された外扉支持枠に外扉が外扉用スライドレールを介して左右方向に移動可能に取付けられるとともに、外扉支持枠の所定寸法下方で、外扉内の上部を貫挿して戸尻側縦枠と戸先側縦枠間に高さ調節可能配設された内扉支持枠に、内扉が内扉用スライドレールを介して左右方向に移動可能に取付けられ、外扉支持枠と、内扉支持枠と、内扉と外扉の上部は、着脱自在の点検パネルと引き戸収納部で隠蔽されているものである。
【実施例１】
【００１３】
以下、添付図面に基づいて実施例を詳述する。
図１〜図５において、符号１は引き戸枠を示している。
引き戸枠１は、建物側の鉄骨１０１・・・にブラケット１０２・・・を介して所定間隔を有して固定された戸尻側縦枠１１と戸先側縦枠１２と、戸尻側縦枠１１と戸先側縦枠１２の上端間に配設され、建物側鉄骨にブラケットを介して固定された上枠１３より門形に形成されている。
【００１４】
符号１４は外扉支持枠を示している。外扉支持枠１４は、戸尻側縦枠１１と戸先側縦枠１２の内面と、上枠１３の少なくとも両端部下面と固定ボルト１４５・・・で、高さ調節可能に連結され、戸尻側縦枠１１と戸先側縦枠１２の上部間に配設され、外扉用スライドレール２が着脱自在に連結されている。そして、外扉用スライドレール２には外扉５が取付けられている。
符号１６は内扉支持枠を示している。内扉支持枠１６は、前記外扉支持枠１４の所定寸法下方で、戸尻側縦枠１１と戸先側縦枠１２の内面に設けられた逆Ｌ字形の連結座１１６・・・と固定ボルト１６５・・・で、高さ調節可能に両端部が連結され、戸尻側縦枠１１と戸先側縦枠１２の上部間に配設され、内扉用スライドレール３が着脱自在に連結されている。そして、内扉用スライドレール３には内扉６が取付けられている。
【００１５】
符号４、４は、戸尻側縦枠１１と戸先側縦枠１２間で、上端が上枠１３の室内外側の両面に固定され、下端部が床面に埋め込まれて前後方向に所定間隔を有して配設された中枠を示している。
以下、戸尻側縦枠１１と中枠４、４間側を引き戸収納側、戸先側縦枠１２と中枠４、４間側を出入口側と云う。
そして、引き戸収納側には内装仕上げのための化粧パネル１００・・・を貼り付けための下地パネル（図示せず。）が、室内側と室外側に取付けられ、内部を引き戸収納用の空間とした引き戸収納部４０が構成される。
【００１６】
外扉５の上部は、外扉用スライドレール２を介して外扉支持枠１４に吊り下げられ、外扉５の下部は、中枠４、４間の床面に設けられた外扉用ガイドローラー取付部材１８に回転自在に設けられた外扉用ガイドローラー１８０に嵌合して前後方向への振れ止めがなされている。
一方、内扉６の上部は、内扉用スライドレール３を介して外扉５の上部を貫挿する内扉支持枠１６に吊り下げられ、内扉６の下部は、外扉５の下端部で戸先側端部に設けられ、出入口側に突出する内扉用ガイドローラー取付部材１９に回転自在に設けられた内扉用ガイドローラー１９０に嵌合して前後方向への振れ止めがなされている。
そして、後記する連動機構９によって、内扉６の移動距離は、外扉５の移動距離の２倍に設定され、第１図の全閉状態から、開放するにつれて、内扉６は外扉５内に収納されつつ、外扉５は引き戸収納部４０内に移動し、第２図の全開状態で、外扉５は内扉６を内部に収納した状態で引き戸収納部４０内に収納される。
【００１７】
符号７は、外扉支持枠１４と、内扉支持枠１６と、内扉６と外扉５の上部と、連動機構９を隠蔽して美観の向上を図ると共に、メンテナンスのため、室内側の出入口側上部に着脱自在に取付られた点検パネルを示している。
符号８は（図６に示す。）、外扉支持枠１４と、内扉支持枠１６と、内扉６と外扉５の上部と、連動機構９を隠蔽するとともに、内装仕上げのための化粧パネル１００を貼り付けるため室外側の出入口側上部に取付られたランマ下地パネルを示している。
【００１８】
すなわち、上記引き戸枠１、外扉用スライドレール２が取付けられた外扉支持枠１４、内扉用スライドレール３が取付けられた内扉支持枠１６、中枠４、４、中枠４、４と戸尻側縦枠１１間に配設される下地パネル（図示せず。）・・・、ランマ下地パネル８、外扉用ガイドローラー１８０が取付けられた外扉用ガイドローラー取付部材１８、点検パネル７を所定の位置に取付けた後、化粧パネル１００・・・の貼りつけ等の建物内の内装工事が行われる。
そして、内装仕上げが終了した後、点検パネル８を取り外して、外扉５、内扉６、連動機構９が組み込まれ、開閉調整と床面及び戸先側縦枠１２との隙間調節等、各部の微調整が行われ、最後に点検パネル８が再び取付けられる。
【００１９】
以下、各部材について詳述する。
戸尻側縦枠１１は、図５に示す如く、引き戸収納部４０側の側片１１１と室内側の側片１１２と室外側の側片１１３より横断面略コ字形に形成され、建物用鉄骨側の上下方向に所定間隔を有して固着された固定用部材１１４・・・が、建物用鉄骨１０１の引き戸収納部４０側に突出して固着されたブラケット１０２に溶接され、下端部は床面仕上げ時に床面に埋め込まれて立設されている。
そして、側片１１１の引き戸収納部４０側に外扉５が完全に開放された時、外扉５の戸尻側端面が当接する緩衝部材１０３が取付けられている。
【００２０】
戸先側縦枠１２は、図５に示す如く、出入口側の側片１２１と、室内側の側片１２２と室外側の側片１２３より横断面略コ字形に形成され、建物側鉄骨１０１側の上下方向に所定間隔を有して固着された固定用部材１２４・・・が、建物用鉄骨１０１の出入口側面に突出して固着されたブラケット１０２に溶接され、下端部は床面仕上げ時に床面に埋め込まれて立設されている。
【００２１】
上枠１３は図３、図４、図６に示す如く、開閉方向両端部が適宜手段にて（実施例の場合は、戸尻側縦枠１１、戸先側縦枠１２の上端部に水平に溶接固着されている。）戸尻側縦枠１１と戸先側縦枠１２の上端部に配設され、建物用鉄骨（図示せず。上枠１３の上方に位置する。）側で、内扉６、外扉５の開閉方向に所定間隔を有して固定部材１３１・・・が固着された断面上向き略コ字形をなし、該固定部材１３１・・・が建物用鉄骨（図示せず。）の下面の下方に突出して固着されたブラケット（図示せず。）に溶接固定されている。
【００２２】
外扉支持枠１４は、図６から図１０に示す如く、固定枠１４１と、該固定枠１４１の内部で室外側内部に設けられた外扉用レール取付枠１４２と、固定枠１４１の戸先側縦枠１２及び戸尻側縦枠１１側の両端面に溶接された固定座１４３、１４３より構成されており、外扉用レール取付枠１４２の室外側下方隅部が開口し、内部に外扉用スライドレール２が取付けられている。
すなわち、上枠１３の少なくとも戸先側縦枠１２及び戸尻側縦枠１１側の両端面内面にナット部１３２・・・が設けられ、固定用枠１４１の上面部１４４には上記ナット部１３２・・・に螺合する固定用ボルト１４５・・・が挿通可能な固定用孔（図示せず。）と、固定用孔に対応して外扉用レール取付枠１４２に固定用ボルト１４５の操作孔・・・（図示せず。）が設けられている。
【００２３】
又、前記固定座１４３には戸先側縦枠１２及び戸尻側縦枠１１に形成された取付用螺孔（図示せず。）に対応して、上下方向に長い固定用長孔１４６が形成されている。
そして、固定用ボルト１４５と上枠１３の螺合状態を調節することにより、外扉支持枠１４の水平状態を確認した後、固定用ボルト１４７、１４７にて戸尻側縦枠１１と戸先側側縦枠１２の上部間に外扉支持枠１４が水平状態に連結固定されている。
尚、外扉用スライドレール２を取付けた外扉支持枠１４を戸先側が前下がりになるよう取付けて外扉５に自閉機能を持たせる時は、外扉支持枠１４が所望の傾斜状態となるよう固定用ボルト１４５と上枠１３の螺合状態を適宜調節する。
【００２４】
内扉支持枠１６は、図６から図９及び図１１に示す如く、固定用枠１６１と、該固定用枠１６１の内部で室外側内部に設けられた内扉用レール取付枠１６２と、固定用枠１６１の戸先側縦枠１２及び戸尻側縦枠１１側の両端面に溶接された逆Ｌ字形の支持枠取付座１６３、１６３より構成されており、内扉用レール取付枠１６２の室外側下方隅部が開口し、内部に内扉用スライドレール３が取付けられている。
支持枠取付座１６３の上端突片１６４には、上方に突出する固定用ボルト１６５が設けられ、取付片１６６には上下方向に長い固定用長孔１６７、１６７が固定用枠１６１の上下に位置する個所に形成されている。
【００２５】
そして、戸尻側縦枠１１の引き戸収納部４０側上端部と、戸先側縦枠１２の出入口側上端部に互いの向きに突出して固着された逆Ｌ字形の連結座１１６、１１６と、内扉支持枠１６の支持枠取付座１６３、１６３が連結され、内扉支持枠１６は戸尻側縦枠１１と戸先側縦枠１２の上部間に高さ調節自在に配設される。
すなわち、連結座１１６の固定用突片１１８に形成された挿通孔に、支持枠取付座１６３の上端突片１６４の下方から固定用ボルト１６５を挿通し、ナットとボルトの螺合状態を調節して、内扉支持枠１６を所望の取付高さとなし、連結座１１６に形成した螺孔に、支持枠取付座１６３の固定用長孔１６７を挿通して固定用ボルト１６８を螺合し、連結座１１６、１１６と支持枠取付座１６３、１６３を連結する。
【００２６】
外扉支持枠１４と内扉支持枠１６は上記の如く取付けられて平行に配設され、さらにこの平行度を強固に維持するため（外扉支持枠１４と内扉支持枠１６の撓みを防止するため）外扉用スライドレール２が位置しない外扉用支持枠１４の戸先側縦枠１２よりで、外扉支持枠１４と内扉支持枠１６間に補強用連結部材１７が取付けられている。
補強用連結部材１７は、上端部が外扉支持枠１４の外扉用レール取付枠１４２の内面にネジ止めされ、下端部に室外側に突出せしめた連結突片１７１を形成し、この連結突片１７１の上方から内扉支持枠１６の固定用枠上面のナット部に１６０に固定用ボルト１７５を螺合せしめて、内扉支持枠１６の所定位置を外扉支持枠１４の所定位置で吊り下げるよう連結し、固定用ボルト１７５の螺合状態を調節して、外扉支持枠１４と内扉支持枠１６の平行度の維持を図っている。
【００２７】
中枠４、４は、図５に示す如く、対向した同形に形成されているので室内側についてのみ説明する。
中枠４は、出入口側の端部に形成されて室内側に突出し、引き戸収納部４０の化粧パネル１００の出入口側端部を隠蔽する中枠突部４１と、中枠突部４１の引き戸収納部４０側に位置し、表面に化粧パネル１００が貼り付けられる表面部４２と、表面板４２と所定間隔を有し、戸尻側縦枠１１側の端部に、表面部４２と共に下地パネル（図示せず。）のパネル嵌合溝が形成された裏面部４３より形成され、上端部が上枠１３の室内側面に連結され、下端部が床面仕上げ時に床面に埋め込まれて立設される。
【００２８】
そして、室内側と室外側の中枠４、４の裏面部４３、４３の出入口側内面には軟質合成樹脂材より形成された指づめ防止材（図示せず。）が取付られている。
尚、実施例では中枠４、４は対向した同形及び室内外側で同位置に形成されているが、例えば室外側では室内側より戸尻側縦枠１１側に所定寸法寄せた位置に設け、その寸法に一致する幅で設備パネルを中枠４に設けたり、あるいは、中枠４と同様の構成で取り付けたりする事も可能である。すなわち、例えば病室の出入口に使用される本発明では、設備パネルに患者名を表示するとともに、患者がナースコールを行った時、その病室と患者名を示す表示ランプと表示状態を消す取消スイッチを設けておけば、室外側からナースコールをしている病室及び患者を目で確認出来るので、看護婦は迅速に対応する事ができる。
【００２９】
外扉用スライドレール２は、図１０に示す如く、外扉用スライド装置２１と、アルミの押出材より形成された、外扉用スライド装置２１の補強材２０が一体に連結されて構成されている。そして、その開閉方向の長さは、外扉５の移動距離よりやや長めに形成され、外扉支持枠材１４の外扉用レール取付枠１４２に室内側にネジ止めにて着脱自在に取付られている。
【００３０】
外扉用スライド装置２１は、図１１に示す如く、補強材２０の室内側に保持される断面略Ｃ字形のアウターメンバー２２と、アウターメンバー２２にボールリテーナー２３に保持された複数個のボール２４・・・を介してスライド自在に保持される断面略Ｃ字形のインナーメンバー２５より構成されており、補強材２０とアウターメンバー２２は外扉５の移動距離よりやや長めに形成され、インナーメンバー２５は外扉５の開閉方向の幅よりやや小さ目に形成され、ボールリテーナー２３はインナーメンバー２５より２倍強の幅に形成されている。
符号５０はインナーメンバー２５の室内側に固着された外扉用吊り金具を示している。
【００３１】
外扉用吊り金具５０は、インナーメンバー２５の室内側に固着される室内側支持面５０１と、室内側支持面５０１の下端部から室外側パネル板５２方向に突出する外扉吊り下げボルト支持面５０２と、外扉吊り下げボルト支持面５０の室外側パネル板５２側の端部で上方に突出する室外側支持面５０３より形成されている。
【００３２】
内扉用スライドレール３は、図１１に示す如く、内扉用スライド装置３１と、アルミの押出材より形成された、内扉用スライド装置３１の補強材３０が一体に連結されて構成されている。そして、その開閉方向の長さは、外扉５の移動距離よりやや長めに形成され、内扉支持枠材１６の内扉用レール取付枠１６２に室内側にネジ止めにて着脱自在に取付られている。
【００３３】
内扉用スライド装置３１は、図１１に示す如く、補強材３０の室内側に保持される断面略Ｃ字形のアウターメンバー３２と、アウターメンバー３２にボールリテーナー３３に保持された複数個のボール３４・・・を介してスライド自在に保持される断面略Ｃ字形のインナーメンバー３５より構成されており、補強材３０とアウターメンバー３２は内扉６の移動距離よりやや長めに形成され、インナーメンバー３５は内扉６の開閉方向の幅よりやや小さ目に形成され、ボールリテーナー３３はインナーメンバー３５より２倍強の幅に形成されている。
符号６０はインナーメンバー２５の室内側に固着された内扉用吊り金具を示している。
【００３４】
内扉用吊り金具６０は、インナーメンバー２５の室内側に固着される室内側支持面６０１と、室内側支持面６０１の下端部から室外側パネル板５２方向に突出する内扉吊り下げボルト支持面６０２と、内扉吊り下げボルト支持面６０の室外側パネル板５２側の端部で上方に突出する室外側支持面６０３より形成されている。
すなわち、外扉スライド装置２と内扉スライド装置３、及び、外扉用吊り金具５０と内扉用吊り金具６０は、開閉方向の長さ寸法が移動距離の違いによって異なるだけの同形に構成されている。
一方、室内側支持面６０１の上端部室内側には、エアーダンパー９００（図１１に二点鎖線で示す。）が取付けられ、内扉支持枠１６の戸先側端部にはエアーダンパー９００に対応してダンパー当り９０１取付けられ、内扉６と外扉５が勢いよく閉鎖しないようブレーキ装置を構成している。
【００３５】
点検パネル７は、室内側の出入口の上方全幅に渡って着脱自在に取付られる横長パネル状をなし、上枠１３の室内側面部で、出入口側の開閉方向両端部に設けられた点検パネル上部支持部材７１に、下方から嵌合する上部支持突片７２が上端部に形成され嵌合し、点検パネル７の戸先側縦枠１２側と中枠４側の端部は、戸先側縦枠１２と中枠４の上部内面に出入口側の突出し、螺孔を有する点検パネル取付用突片（図示せず。）に室内側から取付けネジ７０、７０にて着脱自在に取付けられている。
【００３６】
ランマ下地パネル８は、室外側表面板８１の上端が外扉支持枠１４の室外側側面部にネジ止めされ、室外側表面板８１の下端部で室外側に突出して形成されたランマ下地突部８２で、化粧ボード１００の下端部端面を隠蔽し、室外側表面板８１の開閉方向の両端部が、室外側の中枠４の出入口側面の上端部と、戸先側縦枠１２の出入口側面で室外側の上端部にネジ止めされている。
【００３７】
外扉５は、図５、図６図に示す如く、内部に内扉６が収納可能な空間が形成されるよう所定間隔を隔てて前後方向に対向して配設された室内外側パネル板５１、５２と、室内外側パネル板５１、５２の下端部を連結する外扉底板５４と、外扉５が外扉支持枠１４に取付けられる時に、内扉支持枠１６の室内側と内扉支持枠１６の上方に位置して、室内側パネル板５１の上端と室外側パネル板５２上端内部と着脱自在にネジ止め連結される外扉天板５５と、室内側パネル板５１と室外側パネル板５２の戸尻側端部で、内扉支持枠１６が位置する個所を除き、室内側パネル板５１と室外側パネル板５２の戸尻側端部を閉塞する外扉後板５６より構成されている。
【００３８】
外扉底板５４は、室内側パネル板５１と室外側パネル板５２間の中央部が上方に突出し、下面が外扉５巾方向全幅に渡って開口し、下方から前記外扉用ガイドローラー１８０が嵌合する外扉ガイドローラー嵌合溝５３を有している。
一方、外扉ガイドローラー嵌合溝５３に嵌合する外扉用ガイドローラー１８０は、図５、図１３に示す如く、中枠４、４の出入口側端部中央部で床面に固定される外扉ガイドローラー取付部材１８の上面に回転自在に取付けられ、外扉ガイドローラー嵌合溝５３の前後巾に対応する直径に形成されている。
そして、外扉ガイドローラー取付部材１８には、外扉用ガイドローラーの出入口側で、外扉５の全閉鎖時、外扉底板５４の戸先側端部に形成された後記する内扉用ガイドローラー取付部材１９の戸尻側面１９１が当接して内扉６の移動を停止させるゴム材等からなる外扉当り１８１が取付けられる外扉当り取付部１８２が形成されている。
【００３９】
内扉用ガイドローラー取付部材１９は、外扉底板５４の戸先側端面で、外扉ガイドローラー嵌合溝５３の戸先側端面を閉塞するよう固着され、外扉５の全閉時前記外扉当り１８１に当接する戸尻側面１９１と、戸尻側面１９１の上端で、外扉ガイドローラー嵌合溝５３の上端部で戸先側縦枠１２方向に突出し、上面に内扉用ガイドローラー１９０が回転自在に取付られるローラー取付面１９２と、ローラー取付面１９２の戸先側縦枠１２側端部で下方に突出し、内扉６の全閉時、内扉６の戸先側端面（後記する嵌合溝閉塞部）が当接するゴム材等からなる内扉当り１９３が取付けられる内扉当り取付部１９４より構成されている。
【００４０】
外扉天板５５は、図６、図１０、図１４、図１５に示す如く、下端部が室内側パネル板５１の上端部とネジ止め連結され、内扉支持枠１６の室内側の一部を隠蔽する室内側隠蔽部５５１と、室内側隠蔽部５５１の上端から室外側パネル板５２方向に突出し、内扉支持枠１６の上方の一部を隠蔽する上方側隠蔽部５５２と、上方側隠蔽部５５２の室外側端部より上方に突出し、室外側パネル板５２の上端部内面とネジ止め連結される室外側連結部５５３より構成さている。
【００４１】
そして、上方側隠蔽部５５２の室内外パネル５１、５２間の中央部の戸先側端部と戸尻側端部には戸先側縦枠１２と戸尻側縦枠１１側に突出して、無端ワイヤー９０が掛け渡される連動機構の戸先側プーリー９１と戸尻側プーリー９２が下面に回転自在に取付けられる戸先側プーリー取付座５５４と戸尻側プーリー取付座５５５が一体に形成されると共に、外扉用スライドレール２の外扉用吊り金具５０に対応して外扉５の開閉方向に所定間隔を有して上方に突出する外扉吊り下げボルト５５６、５５６が取付けられている。
【００４２】
外扉吊り下げボルト５５６は、頭部５５７に対応した大きさを外扉吊り下げボルト支持面５０２のやや上方で室内側支持面５０１下端部に有し、螺軸部５５８に対応した大きさを外扉吊り下げボルト支持面５０１の下端部から外扉吊り下げボルト支持面５０２にかけて有する外扉吊り下げボルト嵌合孔（図示せず。）に、室内側からの頭部５５７と螺軸部５５８の上端部が嵌入され、外扉吊り下げボルト５５６の頭部５５７を扉吊り下げボルト支持面５０２の上面で支持され、頭部５５７の室内側端面と室内側支持面５０１の室外側下端部の当接によって、室内側方向への移動が阻止される。
【００４３】
すなわち、外扉５は、外扉天板５５が取付けられておらず、室内外パネル５１、５２の戸先側下端部に内扉ガイドローラー１９０がとりつけられた状態で、室外側パネル５２の上端部を、内扉支持枠１６下方から、内扉支持枠１６の室外側に位置させると共に、外扉ガイドローラー嵌合溝５３内に外扉用ガイドローラー１８０を嵌合し、次に、戸先側プーリー９１と戸尻側プーリー９２に無端ワイヤー９０が掛け渡された状態の外扉天板５５を室内外側パネル５１、５２の上端部に、内扉支持枠１６を跨いでネジ止め連結した後、外扉５を持ち上げるようにして、外扉天板５５に螺合した外扉吊り下げボルト５５６、５５６を外扉用吊り金具５０に吊り下げ、外扉支持枠１４に外扉用スライドレール２を介して、移動自在に取り付けられる。
そして、外扉５は全開位置に移動された状態で、無端ワイヤー９０の室外側の戸先側プーリー９１付近が、内扉支持枠１６に上方に突出して形成されたワイヤー固定座９３に固定される。
【００４４】
内扉６は、図３、図５、図６、図１１、図１２に示す如く全体がパネル形状をなし、下端面の開閉方向に内扉ガイドローラー１９０が嵌合し、戸先側端面が嵌合溝閉塞部（図示せず。）によって閉塞され、戸尻側端部が開口する内扉ガイドローラー嵌合溝６１が形成され、内扉用スライドレール３の外扉用吊り金具６０に対応して内扉６の開閉方向の上端面に所定間隔を有して上方に突出する内扉吊り下げボルト６２、６２が取付けられている。
符号９４は内扉６の戸尻側端部上面に下端部が取付けられ、内扉５、外扉６の全閉状態で無端ワイヤー９０の室内側の戸先側に、上端部が連結されるワイヤー内扉側固定座を示している。
又、符号６００は開閉用の取手を示している。
【００４５】
内扉吊り下げボルト６２は、頭部６３に対応した大きさを内扉吊り下げボルト支持面６０２のやや上方で室内側支持面６０１の下端部に有し、螺軸部６４に対応した大きさを室内側支持面６０１下端部から内扉吊り下げボルト支持面６０２にかけて有する内扉吊り下げボルト嵌合孔（図示せず。）に、室内側から、の頭部６３と螺軸部６４の上端部が嵌入され、内扉吊り下げボルト６２の頭部６３を内扉吊り下げボルト支持面６０２の上面で支持され、頭部６３の室内側端面と室内側支持面６０１の室外側下端部の当接によって、室内側方向への移動が阻止される。
【００４６】
すなわち、内扉６は、外扉支持枠１４に吊り下げられ開放側に移動された状態の外扉５の内部に、内扉ガイドローラー嵌合溝６１の戸尻側端部が内扉ガイドローラー１９０に嵌合するよう出入口から挿入した後、内扉６を持ち上げるようにして、内扉吊り下げボルト６２、６２を内扉用吊り金具６０に吊り下げ、内扉支持枠１１６に内扉用スライドレール３を介して、移動自在に取り付けられる。
そして、ワイヤー内扉固定座９４が外扉５と内扉６を全閉位置に移動された状態で、ワイヤー内扉固定座９４が無端ワイヤー９０の室内側の戸先側プーリー９１付近と連結される。この状態で、内扉６の戸先側端部（戸先側端部に取付けられた戸当り部材）は戸先側縦枠１２の出入口側端面（戸先側縦枠１２の出入口側端面に取付けられた戸当り受け部材）に当接し、戸尻側の一部は外扉５の戸先側側内部に収納され、外扉５の戸尻側の一部は引き戸収納部４０に収納された状態で出入口を閉鎖している（図１、図３、図５、図１４に示す状態。）
【００４７】
そして、内扉６を開放していくと、無端ワイヤー９０の室外側は全閉状態で外扉５の戸尻側で内扉支持枠１６に固定され、無端ワイヤー９０の室内側は全閉状態で内扉６の戸尻側でワイヤー内扉固定座９４に固定されているので、内扉６の移動速度の半分の移動速度で外扉５も連動して移動し、内扉６は外扉５に収納された状態で引き戸収納部４０内に収納される。（図２、図４に示す状態。）
この状態で、戸尻側縦枠１１の緩衝部材１０３と外扉５の外扉後板５６は当接し、外扉用ガイドローラー取付部材１８の外扉当り１８１と内扉用ガイドローラー取付部材１９の戸尻側面が当接し、内扉当り１９３と内扉６の嵌合溝閉塞部が当接した状態となる。
【００４８】
次に、内扉６を閉鎖していくと（この時、外扉５の戸先側上端部にワイヤーの一端を固定し、外扉支持枠１４の戸先側縦枠１２側の端部にワイヤーを巻き取るゼンマイ式の自閉機構を配設しておけば、外扉５の移動につれて、内扉６は自閉する。）、無端ワイヤー９０の室外側は全開状態で外扉５の戸先側で内扉支持枠１６に固定され、無端ワイヤー９０の室内側は、外扉５の戸尻側プーリー９２に掛け渡されて、全開状態で内扉６の戸尻側でワイヤー内扉固定座９４に固定されているので、内扉６の移動速度の半分の移動速度で外扉５も連動して移動し、内扉６は外扉５から突出した状態で、外扉５は引き戸収納部４０から突出した状態で出入口は閉鎖される。（図１、図３、図５に示す状態。）
【図面の簡単な説明】
【００４９】
【図１】本発明の引き戸装置を全閉した状態の正面図
【図２】本発明の引き戸装置を全開した状態の正面図
【図３】点検パネルと化粧パネルを取り除いて引き戸装置を全閉した状態の正面図
【図４】点検パネルと化粧パネルを取り除いて引き戸装置を全開した状態の正面図
【図５】本発明の要部拡大横断面
【図６】本発明の要部拡大縦断面図
【図７】補強用連結部材の取付状態を示す要部拡大縦断面図
【図８】戸尻側縦枠と外扉支持枠及び内扉支持枠の連結状態を示す正面図
【図９】図８の要部縦断面図
【図１０】外扉用スライドレール部分の要部拡大縦断面図
【図１１】内扉用スライドレール部分の要部拡大縦断面図
【図１２】内扉用ガイドローラー部分の要部拡大縦断面図
【図１３】内扉用ガイドローラーと外扉用ガイドローラーの関係を示す一部切り欠き断面図
【図１４】連動機構の関係を示す平面図
【図１５】連動機構の関係を示す正面図
【符号の説明】
【００５０】
１            引き戸枠
１１          戸尻側縦枠
１２          戸先側縦枠
１３          上枠
１４          外扉支持枠
１６          内扉支持枠
１００        化粧パネル
２            外扉用スライドレール
３            内扉用スライドレール
４            中枠
４０          引き戸収納部
５            外扉
５０          外扉用吊り金具
６            内扉
６０          内扉用吊り金具
７            点検パネル
【図１】
2005213838.tif 000003
【図２】
2005213838.tif 000004
【図３】
2005213838.tif 000005
【図４】
2005213838.tif 000006
【図５】
2005213838.tif 000007
【図６】
2005213838.tif 000008
【図７】
2005213838.tif 000009
【図８】
2005213838.tif 000010
【図９】
2005213838.tif 000011
【図１０】
2005213838.tif 000012
【図１１】
2005213838.tif 000013
【図１２】
2005213838.tif 000014
【図１３】
2005213838.tif 000015
【図１４】
2005213838.tif 000016
【図１５】
2005213838.tif 000017